(57)【要約】  本発明は同一ラベル央でＵＨＦアンテナとＲＦＩＤ集積回路をＲＦモードで動作するＥＡＳアンテナと結合することにより、保護すべきおよび／または追跡すべき物体に第２のラベルを付加することを回避する。本発明の１つの側面では、ループアンテナが使用され、このループアンテナに集積回路が接続される。この集積回路はＵＨＦアンテナとの容量性誘導により動作するものであってよい。本発明はまたこのようなラベルの製造方法および使用方法に関する。
2009537104.tif 000002
【特許請求の範囲】
【請求項１】
盗難防止（ＥＡＳ）ラベルの機能とＵＨＦ  ＲＦＩＤトランスポンダの機能を実施することのできるラベルであって、
（ａ）基板としてのプラスチックシート（４）、
（ｂ）無線周波数モードで動作可能なＥＡＳループアンテナ（２）、
（ｃ）ＵＨＦダイポールアンテナ（３）
を含むことを特徴とするラベル。
【請求項２】
前記ＥＡＳアンテナと前記ダイポールアンテナが前記基板（４）の同じ面（６）に堆積させられている、請求項１記載のラベル。
【請求項３】
さらに、
（ｉ）自己誘導コイルアンテナ（５）またはストラップダイポールアンテナ（１２）、
（ｉｉ）集積回路（１１）
を含み、両者とも前記基板（４）の前面（６）または背面（７）に堆積させられている、請求項１または２記載のラベル。
【請求項４】
前記自己誘導コイルアンテナ（５）または前記ダイポールアンテナ（１２）は支持体上に、好ましくはプラスチックシート上に製造されており、前記支持体は前記基板（４）の前面（６）または背面（７）に接着されている、請求項３記載のラベル。
【請求項５】
請求項３または４記載のラベルを製造する方法であって、
（ａ）第１の基板上に自己誘導コイルアンテナを製造する、またはダイポールアンテナを堆積させるステップ、
（ｂ）前記ループアンテナまたは前記ダイポールアンテナ上に集積回路を配置して第１のアセンブリを形成するステップ、
（ｃ）第２の基板の同じ面に堆積させられたＲＦ  ＥＡＳアンテナとＵＨＦアンテナとから成る中間製品を製造するステップ、
（ｄ）ステップ（ｂ）で形成した第１のアセンブリをステップ（ｃ）で形成したＵＨＦアンテナとは反対に前記中間製品の前面または背面に配置および取り付けることにより第２のアセンブリを製造するステップ
から成り、ステップ（ａ）および（ｂ）は逐次的に実行され、ステップ（ｃ）はステップ（ａ）および（ｂ）の前、同時、または後に実行されることを特徴とする方法。
【請求項６】
ステップ（ｄ）において、前記中間製品の前面または背面への第１のアセンブリの取り付けを接着により行う、請求項５記載の方法。
【請求項７】
ステップ（ｃ）において、ＥＡＳアンテナおよび／またはＵＨＦアンテナをサブトラクティブ金属技術を用いて製造する、請求項５または６記載の方法。
【請求項８】
請求項３もしくは４に記載のラベルまたは請求項５もしくは６に記載の方法を実行することにより得られるラベル（「ＲＦＩＤ／盗難防止ラベル」と呼ばれる）を使用する方法であって、
ａ）保護すべきおよび／または追跡すべき製品の製造が完了した時点で、前記製品にＲＦＩＤ／盗難防止ラベルを付加するステップ、
ｂ）前記ラベルの集積回路をデータＤで初期化し、ＲＦ  ＥＡＳアンテナを活動化させるステップ、
ｃ）前記製品が製造工場を出て売場のレジを通るときに前記ＥＡＳアンテナが非活動化されるまでの間に少なくとも一度、前記データＤを読み出すステップ、
ｄ）前記製品が前記売場のレジを通るときに前記ＥＡＳ盗難防止アンテナを非活動化させるステップ
から成り、ステップａ）とｂ）はいずれの順序で実行してもよいが、ステップｃ）とｄ）は上に示した順序でステップａおよびｂ）の後に実行されることを特徴とする使用方法。
【請求項９】
前記データＤは保護すべきおよび／または追跡すべき製品に関するデータである、請求項８記載の方法。
【発明の詳細な説明】
【技術分野】
【０００１】
本発明の課題は、物体または商品を確実に追跡するＲＦＩＤシステムをラベルに組み込み、さらに５〜１０ＭＨｚで動作する標準的なＲＦ盗難防止アンテナをも持たせることである。
【背景技術】
【０００２】
商品の流れに関して倉庫や商店の経営者が持つ主な関心事は、第１に、物体が追跡できること（つまり、物体の識別、位置同定および動きの監視）、第２に、盗難防止、特に売場での盗難防止である。
【０００３】
第１の主な関心事は売場での品物の盗難防止である。今日では、ソースタギングの原理に基づき、品物の製造中または包装中に盗難防止ラベルが組み込まれることがますます多くなってきている。供給側で（例えば、商品の製造または包装の際に）盗難防止エレメントを張り付けることで、製品の商業寿命の他の段階で盗難防止エレメントを張り付ける必要がなくなる。
【０００４】
市場には数種の盗難防止システムが存在している。世界中で最も売れている２つのシステムは５〜８．２ＭＨｚで動作するコイルまたは閉ループアンテナを備えた無線周波（ＲＦ）盗難防止システムである。
【０００５】
ＥＡＳ（電子商品監視）システムは、アンテナの共振周波数と等しい周波数を有する交流磁場の中を移動すると、アンテナを通して共振する信号を送り返す。なお、この交流磁場は店の出口にあるターミナルによって与えられる。現在の技術状況では、ＥＡＳアンテナによって送り返される信号は何ら識別子を含んでいない。
【０００６】
倉庫や商店の経営者の第２の主な関心事は、倉庫内または店内の物を遠隔的に識別および位置同定することである。物体識別は無線周波識別（ＲＦＩＤ）システムを用いれば可能である。これらのシステムは読取り機とトランスポンダを含んでいる。読取り機は電波および磁場の送信機を含んでおり、読取りフィールド内に位置するトランスポンダ（送受信機）からの応答を受信する。トランスポンダはメモリ付きまたはメモリなしの集積回路とアンテナを含んでいる。
【０００７】
ＲＦＩＤ市場は一般に使用周波数範囲に基づいて低周波ＲＦＩＤ（１００〜２５０ＫＨｚ）、高周波（ＨＦ）ＲＦＩＤ（１２ＭＨｚ〜１００ＭＨｚ）、超高周波（ＵＨＦ）ＲＦＩＤ（４００ＭＨｚ〜２．４５ＧＨｚ）に分類されている。
【０００８】
物体や商品の適正な監視を保証するためにＵＨＦ  ＲＦＩＤの使用が増えてきている。このために、ＵＨＦアンテナと集積回路とから成るトランスポンダが追跡されるべき商品または物体に張り付けられる。アンテナは集積回路のキャパシタンスとともに共振回路を形成するような特定の値のインダクタンスを有するように設計される。このシステムは受信機または読取り機と通信する。受信機または読取り機の送信電力と動作周波数は、様々な国で施行されているそれぞれの法律および規制の要件に適合していなければならない。
【０００９】
現在の技術状況では、トランスポンダは紙ラベル、厚紙タグ、粘着ラベル、値札、衣類データラベルまたはその他の支持体として製造されている。これらのラベルは製品に付加される。これについては例えばアメリカ合衆国特許出願第６，１４７，６６２号（Moore North America, Inc.）および特許出願ＷＯ２００５／１１１９６１７（Filtrona United Kingdom Ltd.）に記載されている。製造者が販売まで製品を監視するか、または配送センターが店頭まで製品を監視することができるというのはしばしば重要なことではあるが、製造後に商品に新しいラベルを付加するのはコストがかかり、面倒なことである。
【００１０】
現在のところ、ＵＨＦエレメントはマーケティングチェーンの後期の段階で付加されるので、供給側で張り付けることができるのは盗難防止エレメントだけである。さらに、ＨＦ  ＲＦＩＤ盗難防止エレメントとＵＨＦ  ＲＦＩＤエレメントを単一の分割できない支持体上でまたは同一ラベル上で結合した製品は存在していない。
【００１１】
最近のいくつかの特許出願（ＵＳ  ２００４／００８９７０７、ＵＳ  ２００４／０２６３３１９、ＷＯ  ２００４／１０４９５８）は無線周波識別と盗難防止機能を組み込むことのできる装置を提案しており、かなり複雑な製造法および／または使用法を特徴としている。例えば、文献ＷＯ  ２００４／１０４９５８（チェックポイントシステム）は特に衣類の保護に使用される「ハードタグ」タイプの装置に関している。実際、このような装置を比較的低い価格で製品に使おうとすれば、この装置の製造コストが主な懸念となる。
【００１２】
発明の対象
本発明は第１に、盗難防止（ＥＡＳ）ラベルの機能とＵＨＦ  ＲＦＩＤタイプのトランスポンダの機能を実施することのできるラベルであって、（ａ）基板としてのプラスチックシート４と、（ｂ）無線周波数モードで動作可能なＥＡＳループアンテナ２と、（ｃ）ＵＨＦダイポールアンテナ３が組み込まれたトランスポンダとを含むことを特徴とするラベルを対象としている。
【００１３】
本発明はさらに、（ａ）自己誘導コイルタイプのループアンテナを第１の基板上に製造するステップと、（ｂ）前記ループアンテナ上に集積回路を配置して第１のアセンブリを形成するステップと、（ｃ）同じ第２の基板上に塗布、エッチングまたは製作されたＲＦ  ＥＡＳアンテナとＵＨＦアンテナとから成る中間製品を製造するステップと、（ｄ）ステップ（ｂ）で作られた第１のアセンブリをステップ（ｃ）で作られたＵＨＦアンテナとは反対に前記中間製品の前面または背面に配置および取り付けることにより第２のアセンブリを製造するステップを有するラベル（「ＲＦＩＤ／盗難防止ラベル」と呼ばれる）製造方法を対象としている。この方法では、ステップ（ａ）および（ｂ）は逐次的に実行され、ステップ（ｃ）はステップ（ａ）および（ｂ）の前、同時、または後に実行されるものとしてよい。
【００１４】
本発明はまたこのようなＲＦＩＤ／盗難防止ラベルの使用方法も対象としている。
【図面の簡単な説明】
【００１５】
【図１】本発明の１つの実施形態に従ったラベル１を示す。この実施形態では、ＥＡＳアンテナ２とＵＨＦダイポールアンテナ３は基板４の同じ面６（前面と呼ばれる）にエッチングされている。
【図２】ループ（自己誘導コイル）５の形態のミニアンテナとその集積回路１１が示されている。
【図３】本発明の別の実施形態に従ったラベル１を示す。この実施形態では、図１のラベルに対して、ループ５と集積回路１１が基板４の背面７に付加されている。
【図４】図３の装置の線Ａ−Ａに沿った断面を示す。集積回路１１のコンタクト１０はループ５のストランドと電気的に接触している。ループ５と集積回路１１が基板４の背面７に堆積させてあるのに対して、ＵＨＦダイポールアンテナは基板４の前面６にある。
【図５】ストラップタイプのミニアンテナ１２とその集積回路１１を示す。
【図６】本発明のさらに別の実施形態に従ったラベル１を示す。この実施形態では、図１のラベルにストラップアンテナ１２が付加されており、集積回路１１は基板４の前面6に付加されている。
【図７】本発明によるラベルを物流チェーンに沿って使用する方法のフローチャートを示す。
【００１６】
発明の説明
本発明は、同一ラベル上で、ＵＨＦアンテナとＲＦモードで動作するＥＡＳアンテナを備えたＲＦＩＤトランスポンダとを結合することにより、第２のラベルを保護または追跡すべき製品に付加することを避ける。
【００１７】
本発明により解決される第１の問題は同一ラベル上に２つのアンテナを組み込むことに関係している。第１のＲＦ  ＥＡＳ盗難防止アンテナは好ましくは２〜１０ＭＨｚ、より好ましくは５〜８ＭＨｚの共振周波数で動作し、第２のＵＨＦアンテナは好ましくは０．８〜２．５ＧＨｚの共振周波数で動作し、物体の識別および追跡をその機能としている。
【００１８】
ＲＦ  ＥＡＳアンテナは、（一般にはエッチングによる）サブトラクティブアルミニウム製法に基づいて、例えばポリプロピレン（ＰＰ）またはポリエチレンテレフタレート（ＰＥＴ）から形成された支持体などのプラスチック支持体の両面にアルミニウムで形成されることが最も多い。これらのアンテナは一般にコイルまたは閉ループの形をしている。ＲＦ  ＥＡＳアンテナが基板の両面に形成されたら、両面の堆積物の間の電気的連続性を保証するために、一般的には機械的なクリンピングかまたは鍍金された孔（「バイア」）によりブリッジを形成しなければならない。ＥＡＳのＲＦアンテナはＵＨＦ周波数範囲で動作する集積回路との共振に使用しなくてもよい。
【００１９】
その一方で発明者は、ＥＡＳアンテナに使用される技術と同じ技術に基づいた、当業者がごく普通に使用しているＲＦ  ＥＡＳアンテナ製造法を用いて、ＥＡＳアンテナの近傍にＵＨＦモードで動作する第２のアンテナを製造することが可能であることに気づいた。このＵＨＦアンテナはふつうダイポールアンテナである。それは例えば単純なダイポールアンテナであってもよいし、インピーダンス調整ループを備えたダイポールアンテナであってもよい。
【００２０】
２つのアンテナが非常に離れた周波数範囲で動作している場合であってもこれらのアンテナの正しい動作が妨げられないようにするには、２つのアンテナの間に最小の隔離距離が維持されなければならない。製造方法を単純化するために、ＵＨＦアンテナをＲＦ  ＥＡＳアンテナと同時に作製してもよい。
ある特定の実施形態では、ＥＡＳアンテナおよび／またはＵＨＦアンテナは例えば打抜きなどの機械的な金属サブトラクション法を用いて製造される。
【００２１】
本発明によって解決されるもう１つの問題は、ＲＦ  ＥＡＳアンテナと同時に製造されるＵＨＦアンテナにＵＨＦ集積回路を取り付けることに関している。実際、ＲＦ  ＥＡＳアンテナの最適な動作を実現しつつ、コストを制限するために、前記アンテナは一般にポリプロピレンまたはＰＥＴでできた基板上に堆積させられる。この種の支持体上では、フリップチップによる集積回路とＵＨＦアンテナとの相互接続は困難である。というのも、第１には、ポリプロピレンが集積回路を適正に溶接するのに必要な温度に耐えることができないからであり、第２には、システム全体が非常に撓みやすいため、従来の方法で取り付けたのでは集積回路が簡単にとれてしまうからである。恐らく、これらの問題が誰もまだＲＦ  ＥＡＳアンテナとＵＨＦアンテナを同一基板上に堆積させることを考えたことのない理由であろう。
【００２２】
この問題を解決し、集積回路とＵＨＦアンテナとの間の接続を可能にするために、本発明の１つの側面によれば、アルミニウムもしくは銅、または導電性インク（例えばセリグラフィにより堆積させられる）、または他の何らかの導電性材料から作られたループアンテナが使用され、このループアンテナに集積回路が接続される。この集積回路はＵＨＦアンテナとの容量性誘導により動作するものであってよい。このループアンテナの大きさは集積回路の容量値に依存する。本発明の別の実施形態によれば、集積回路を数ミリメートルの大きさのミニアンテナ、例えばストラップダイポールミニアンテナと接続することもまた可能である。前記ストラップアンテナはＵＨＦアンテナにクリンピングしてもよいし、導電性接着剤で電気的にボンディングしてもよい。
【００２３】
本発明によれば、容量性集積回路は例えばループアンテナなどの磁気共振器として動作する自己誘導コイル型のアンテナに接続される。この自己誘導コイルアンテナの大きさは、式
【数１】
2009537104.tif 000003
に基づいてＬＣで共振できるような大きさでなければならない。ここで、Ｆは集積回路のキャパシタンスである。この自己誘導コイルアンテナは有利にはループとしてまたは小型ストランドとして実施される。この自己誘導コイルアンテナはＵＨＦアンテナとの誘導により動作する。ＵＨＦアンテナのストランドはこの自己誘導コイルアンテナが所望の周波数で動作するように大きさが選定されている。
【００２４】
この自己誘導コイルアンテナは、好ましくはＰＥＴのようなプラスチックまたは十分な耐熱性を有する他の任意のプラスチック材料から成る基板上に、アルミニウム、銅、導電性インクまたはその他の適切な導電性材料から形成されるものであってよい。アンテナインダクタンスは集積回路１１の容量値に基づいて決定される。通常は、自己誘導コイルアンテナはＵＨＦアンテナよりも小さい、つまり短いので、ミニアンテナが目的に適う。集積回路１１はフリップチップにより、または他の何らかの接続により自己誘導コイルアンテナ５のストランドに接続されている。集積回路１１は基板に接着させてもよく、この基板上にループまたはミニストランドが堆積させられる。このミニストランドアンテナ（より一般的にはストラップアンテナと呼ばれる）の場合、１つのストランドにつき２〜３ｍｍのストランド長が適しているが、正確な長さは重要ではない。
【００２５】
好ましくはプラスチックで作製された自己誘導コイルアンテナ５とその基板上の集積回路１１は、好ましくは接着剤を用いて、基板４の前面６または背面７においてＵＨＦアンテナの近傍に取り付けられる。例えば、自己誘導コイルアンテナ５と集積回路１１とを含んだ基板をＵＨＦアンテナと直に接するように接着してもよいし、ＵＨＦアンテナとＲＦ  ＥＡＳアンテナをカバーする保護支持体に接着してもよい。
【００２６】
１つの有利な実施形態では、自己誘導コイルアンテナの配置はこの自己誘導コイルアンテナをＨＦおよびＵＨＦアンテナのプラスチック製または紙製支持体の背面に以前に堆積させた接着剤の上に取り付けることにより行われる。
【００２７】
自己誘導コイルアンテナ５はＵＨＦアンテナの２つのストランドとは反対の側に配置され、放射エレメントとして動作する。
【００２８】
集積回路１１とその自己誘導コイルアンテナ５を、大容量を供するＵＨＦアンテナ３の２つのストランドの反対側に配置すれば、ＵＨＦアンテナ３は集積回路の反対側の面に配置された放射エレメントの静電気から完全に絶縁されることになる。
【００２９】
この絶縁により、集積回路と何ら物理的な接触をせずに放射エレメントに触れることができるので、静電気の作用に起因する前記アンテナの劣化を防ぐことができる。
【００３０】
自己誘導コイルアンテナはＵＨＦダイポールアンテナとの容量性カップリングにより動作する。このため、カップリングによって集積回路に給電することが可能であり、集積回路１１のメモリに格納されている識別子を遠隔から読み出すことができる。
【００３１】
（ストラップタイプの）ダイポールミニアンテナの場合、共振は、ストラップアンテナがラベル１の背面７に配置されているならば、容量効果によって、ストラップアンテナが前面６に配置されているならば、電気伝導によって簡単に発生する。
【００３２】
本発明の１つの有利な実施形態では、それぞれの国で施行されている規制に従い、ＵＨＦモードのＲＦモジュールは８５０〜９５０ＭＨｚの周波数と２．３〜２．５ＧＨｚの周波数で動作し、基地局は、無接触式オンザフライ物体識別の場合、１００ｍＷ〜１６Ｗの範囲の電力で動作する。一方、盗難防止機能は２〜１０ＭＨｚの無線周波数モードで動作してよい。
【００３３】
自己誘導コイルアンテナのおかげで、ＲＦＩＤ装置は近接場モードで（水のような）液体または金属を含む物体に作用することができる。
【００３４】
本発明はさらに上記トランスポンダの製造方法をも対象としている。この方法は、（ａ）第１の基板上に自己誘導コイルアンテナを製造する、またはダイポールアンテナを堆積させるステップと、（ｂ）前記自己誘導コイルアンテナまたはダイポールアンテナ上に集積回路を配置して第１のアセンブリを形成するステップと、（ｃ）第２の基板の同じ面に堆積させられたＲＦ  ＥＡＳアンテナとＵＨＦアンテナとから成る中間製品を製造するステップと、（ｄ）ステップ（ｂ）で形成した第１のアセンブリをステップ（ｃ）で形成したＵＨＦアンテナとは反対に前記中間製品の前面または背面に配置および取り付けることにより第２のアセンブリを製造するステップから成り、ステップ（ａ）および（ｂ）は逐次的に実行され、ステップ（ｃ）はステップ（ａ）および（ｂ）の前、同時、または後に実行されるものとしてよい。
【００３５】
ステップ（ｂ）において第１のアセンブリを配置および取り付けする際、標準的な接着剤による接着により取り付けを行ってもよい。自己誘導コイルアンテナまたはダイポールアンテナは、ステップ（ｃ）で形成したＵＨＦアンテナとは反対に、第２の基板４の前面６または背面７に取り付けられならければならないため、第１のアセンブリの構成要素はＵＨＦアンテナ３との容量性カップリングにより動作する。
【００３６】
ステップ（ａ）および（ｂ）は逐次的に実行される。ステップ（ｃ）はステップ（ａ）および（ｂ）とは時間的に独立しており、例えばステップ（ａ）および（ｂ）の前、同時、または後に実行されるものとしてよい。
【００３７】
ステップ（ｃ）において、ＲＦ  ＥＡＳアンテナは基板の両面に製造してもよく、その場合、２つの金属面（一般にこの金属はアルミニウムである）の間のブリッジは一般にクリンピングまたはバイアによって形成されなければならない。
【００３８】
集積回路はフリップチップによって自己誘導コイルアンテナに接続してよい。
【００３９】
ＲＦ  ＥＡＳ-ＨＦアンテナまたはＵＨＦアンテナは、アルミニウム-プラスチックまたはアルミニウム-紙の複合材料から成るロール上に、例えばアルミニウムのエッチングにより製造してよい。なお、プラスチックは例えばポリプロピレンまたはＰＥＴとしてよい。
【００４０】
次に、自己誘導コイルアンテナ５またはダイポールアンテナ１２と集積回路１１が、積層法に従い、接着剤またはその他の適切な手段もしくは方法を用いて、基板４の背面７または前面６に配置される。有利には、基板４はＰＥＴのようなプラスチック材料から成る。
【００４１】
本発明はまた、盗難保護および／またはこのようにして保護された物体の追跡機能を提供するために、それも好ましくは両機能を同時に提供するために上記トランスポンダを使用することにも関わっている。
【００４２】
このラベル（「ＲＦＩＤ／盗難防止ラベル」と呼ばれる）の使用方法は、ａ）保護すべきおよび／または追跡すべき製品の製造が完了した時点で、前記製品にＲＦＩＤ／盗難防止ラベルを付加するステップと、ｂ）ラベルの集積回路にデータＤをロードし、ＲＦ  ＥＡＳアンテナを活動化させるステップと、ｃ）前記製品が製造工場を出て売場のレジを通るときにＥＡＳアンテナが非活動化されるまでの間に少なくとも一度、前記データＤを読み出すステップと、ｄ）製品が前記売場のレジを通るときにＥＡＳ盗難防止アンテナを非活動化させるステップから成る。ステップａ）とｂ）はいずれの順序で実行してもよいが、ステップｃ）とｄ）は上に示した順序でステップａおよびｂ）の後に実行される。
【００４３】
ＥＡＳ盗難防止は従来通りに動作する。
【００４４】
ＵＨＦ部分に関しては、読取り機のアンテナが集積回路を通電させるＵＨＦ波を送る。磁気ループは好ましくは盗難防止アンテナの周辺に配置されたＵＨＦダイポールアンテナとの容量効果により動作する。ＵＨＦアンテナを通して、集積回路は読取り機の受信アンテナにデータを送る。これらのデータはラベルの張り付けられた物体を識別するためのものとしてよい。
【００４５】
上記装置の使用方法は例えば図７に示されている。すなわち、ａ）保護すべきおよび／または追跡すべき製品の製造が完了した時点で、前記製品にＲＦＩＤ／盗難防止ラベルを付加し、ｂ）ラベルの集積回路をデータＤで初期化し、ＲＦ  ＥＡＳアンテナを活動化させ、ｃ）前記製品が製造工場を出て売場のレジを通るときにＥＡＳアンテナが非活動化されるまでの間に少なくとも一度、前記データＤを読み出し、ｄ）前記製品が前記売場のレジを通るときにＥＡＳ盗難防止アンテナを非活動化させる。ステップ（ａ）と（ｂ）はいずれの順序で実行してもよいが、ステップ（ｃ）と（ｄ）は上に示した順序でステップａおよびｂ）の後に実行される。データＤは保護すべきおよび／または追跡すべき製品に関するデータである。
【００４６】
店内では、本発明が要求するラベルの主な機能はＲＦ−ＨＦ  ＥＡＳアンテナによる盗難防止機能とＲＦＩＤトランスポンダによる在庫管理機能である。
【００４７】
この使用方法は多くの利点をもたらす。ＲＦＩＤ／盗難防止ラベルの使用は、追跡機能を組み込むことによって、盗難防止システムと同じ時と場所で物体および消費財のソースタギングを容易にする。この組み込みはＲＦＩＤ解決手段の配備を容易にし、商品レベルでのＲＦＩＤシステムの組み込みのコストを制限することができる。
【００４８】
例
ポリプロピレン（ＰＰ）から成る第１の基板上でアルミニウムエッチングを行うことにより、巻回シートの形でＥＡＳアンテナを作製した。なお、このＥＡＳアンテナはおよそ８．２ＭＨｚの周波数で共振するように設計されている。同時に、９１５ＭＨｚ、９５０ＭＨｚまたは８６９ＭＨｚの周波数（３つの異なる実施形態に対応して、周波数はそれぞれの国で施行されている規制に基づいて選択される）で共振するように設計されたＵＨＦダイポールアンテナを作製した。ＥＡＳアンテナはシートの両側に作製し、機械的なクリンピングにより電気的連続性を実現した。
【００４９】
次に、ＰＥＴまたは紙で作られた第２の基板上に、導電性インクを堆積させることによりループミニアンテナを堆積させた。次に、このアンテナに集積回路を接続した。そして、この第２の基板を両面接着剤によってＰＰから形成された第１の基板の背面にループアンテナおよび集積回路とともに接着させた。
【図１】
2009537104.tif 000004
【図２】
2009537104.tif 000005
【図３】
2009537104.tif 000006
【図４】
2009537104.tif 000007
【図５】
2009537104.tif 000008
【図６】
2009537104.tif 000009
【図７】
2009537104.tif 000010
【国際調査報告】
2009537104.tif 000011
2009537104.tif 000012
2009537104.tif 000013
2009537104.tif 000014
2009537104.tif 000015
2009537104.tif 000016